(57)【要約】【課題】薄型の表示パネルを縦横に接続することで大画面の表示装置を形成することが容易であり、しかも精緻に位置合わせを行うことができる表示装置用支持機構及び表示装置を提供する。【解決手段】縦横に支柱を形成してある支持枠と、該支持枠に固着された状態で、表示画面を見る者から見て前後方向、縦方向、及び横方向の直線移動を行うことが可能であるとともに、表示画面を見る者から見て略奥行き方向の軸及び略鉛直方向の軸を中心とする回転移動を行うことが可能な主調整機構とを有する。複数の主調整機構を支持枠に配設してあり、複数の表示パネルそれぞれの背面略中央を主調整機構に固着する。複数の表示パネルの表示画面を見る者から見て横方向の接続部分に、横方向の直線移動を行うことが可能な第一の副調整機構を複数設け、表示画面を見る者から見て縦方向の接続部分に、縦方向及び前後方向の直線移動を行うことが可能な第二の副調整機構を設ける。【選択図】図１０
2010002541.tif 000002
【特許請求の範囲】
【請求項１】
複数の薄板状の表示パネルを表示画面を見る者から見て縦横に連結する表示装置用支持機構において、
表示画面を見る者から見て縦横に支柱を形成してある支持枠と、
該支持枠に固着された状態で、表示画面を見る者から見て前後方向、縦方向、及び横方向の直線移動を行うことが可能であるとともに、表示画面を見る者から見て前後方向の軸及び縦方向の軸を中心とする回転移動を行うことが可能な主調整機構と
を有し、
複数の前記主調整機構を前記支持枠に配設してあり、
複数の表示パネルそれぞれの背面略中央を前記主調整機構に固着するようにしてあることを特徴とする表示装置用支持機構。
【請求項２】
表示画面を見る者から見て横方向での複数の前記表示パネルの接続部分に、表示画面を見る者から見て横方向の直線移動を行うことが可能な第一の副調整機構を複数設けてあることを特徴とする請求項１記載の表示装置用支持機構。
【請求項３】
表示画面を見る者から見て縦方向での複数の前記表示パネルの接続部分に、表示画面を見る者から見て縦方向及び前後方向の直線移動を行うことが可能な第二の副調整機構を設けてあることを特徴とする請求項１又は２記載の表示装置用支持機構。
【請求項４】
前記主調整機構は、クランク機構により調整部材の直線運動を回転運動に変換するようにしてあることを特徴とする請求項１乃至３のいずれか一項に記載の表示装置用支持機構。
【請求項５】
請求項１乃至４のいずれか一項に記載の表示装置用支持機構にて、複数の表示パネルを縦横に連結してあることを特徴とする表示装置。
【請求項６】
前記表示パネルは、
内部に放電ガスが封入された複数の発光管を並列に配置した発光管アレイを、アドレス電極が形成してあるアドレス電極シートと、表示電極が形成してある表示電極シートとの間に挟持してあり、薄板状の構造体と一体化した発光管アレイ型表示サブモジュールであることを特徴とする請求項５記載の表示装置。
【発明の詳細な説明】
【技術分野】
【０００１】
本発明は、薄型の表示パネル等を複数接続することで大画面の表示装置を形成する表示装置用支持機構及び表示装置に関し、さらに詳しくは、接続部分の位置合わせを簡易な構造で精緻に行うことができる表示装置用支持機構及び表示装置に関する。
【背景技術】
【０００２】
昨今の技術の急速な進展により、ＰＤＰ、ＬＣＤ、有機ＥＬディスプレイ等の薄型表示パネルを有する表示装置が多々開発されている。そして、これらの表示装置の大画面化も進んでおり、大規模な表示パネル製造工場にて、大画面用に表示パネルが効率よく製造されるようになってきている。
【０００３】
一方、内部に放電ガスが封入された複数の発光管を並列に配置した発光管アレイを、アドレス電極が形成してあるアドレス電極シートと、表示電極が形成してある表示電極シートとの間に挟持してある表示フィルムを用いる表示装置が、その薄さ及び可撓性から注目を集めている。発光管アレイからなる表示フィルムを用いた表示装置は、複数の表示フィルムを縦横に接続することで、容易に大画面化ができるとともに、曲面上でも大画面で画像を表示することができるというメリットがある。
【０００４】
これらの表示パネル等を複数連結することにより、より大規模な大画面表示装置を構築することができる。この場合、表示パネル等を相互に連結するためには、表示パネル等を支持する支持枠、表示パネル等を支持枠の所定の位置へ誘導する収納案内機構、所定の位置にて隣接する他の表示パネル等と連結する連結機構等が必要となる（特許文献１及び２参照）。
【特許文献１】国際公開２００７／１０２２２１号
【特許文献２】国際公開２００７／１２２７０５号
【発明の開示】
【発明が解決しようとする課題】
【０００５】
しかし、薄板状の表示パネル等を縦横に接続する場合、全体のサイズが大きくなることから取付誤差が生じた場合には画像上の欠陥として目立ちやすい。すなわち、取付誤差が生じている箇所では、接続部分から光が漏れる、重複表示が生じる等により、高画質を維持することが困難になる場合も生じている。
【０００６】
また、従来の収納案内機構、連結機構等は、複数の表示パネルを平板状に取り付けるための機構であった。しかし、昨今では、大画面の表示装置は平板状に限定されるものではなく、曲面状に形成することが求められる場合も多い。従来の機構を用いるだけでは、曲面に対応することができず、特に表示画面を見る者から見て横方向のズレを精緻に解消するような微調整をすることができないという問題点があった。
【０００７】
薄板状の複数の表示パネル等を精緻に連結するためには、ある程度の位置合わせをして固定した段階で、表示画面を見る者から見て縦方向、横方向、前後方向、あるいは所定の回転方向に微調整する必要がある。これらの微調整をすることによって、接続部分での画質の劣化を回避することができ、品質の高い大画面表示装置を提供することができる。
【０００８】
本発明は斯かる事情に鑑みてなされたものであり、薄型の表示パネルを表示画面を見る者から見て縦横に接続することで大画面の表示装置を形成することが容易であり、しかも精緻に位置合わせを行うことができる表示装置用支持機構及び表示装置を提供することを目的とする。
【課題を解決するための手段】
【０００９】
上記目的を達成するために第１発明に係る表示装置用支持機構は、複数の薄板状の表示パネルを表示画面を見る者から見て縦横に連結する表示装置用支持機構において、表示画面を見る者から見て縦横に支柱を形成してある支持枠と、該支持枠に固着された状態で、表示画面を見る者から見て前後方向、縦方向、及び横方向の直線移動を行うことが可能であるとともに、表示画面を見る者から見て前後方向の軸及び縦方向の軸を中心とする回転移動を行うことが可能な主調整機構とを有し、複数の前記主調整機構を前記支持枠に配設してあり、複数の表示パネルそれぞれの背面略中央を前記主調整機構に固着するようにしてあることを特徴とする。
【００１０】
第１発明では、表示画面を見る者から見て縦横に支柱を形成してある支持枠と、該支持枠に固着された状態で、表示画面を見る者から見て前後方向、縦方向、及び横方向の直線移動を行うことが可能であるとともに、表示画面を見る者から見て前後方向、すなわち略奥行き方向の軸及び表示画面を見る者から見て縦方向、すなわち略鉛直方向の軸を中心とする回転移動を行うことが可能な主調整機構とを有している。複数の主調整機構を支持枠に配設し、複数の表示パネルそれぞれの背面略中央を主調整機構に固着する。これにより、表示パネル等を主調整機構に固着した状態で支持枠に固定することができ、支持枠に固定した状態で表示画面を見る者から見て前後方向、縦方向、及び横方向の直線移動による微調整を行うことができる。また、固着時に左右の高さが平行でない場合には表示画面を見る者から見て前後方向の軸を中心とする回転移動により微調整を行うことができ、曲面に対応する場合には表示画面を見る者から見て縦方向の軸を中心とする回転移動により微調整を行うことが可能となる。
【００１１】
また、第２発明に係る表示装置用支持機構は、第１発明において、表示画面を見る者から見て横方向での複数の前記表示パネルの接続部分に、表示画面を見る者から見て横方向の直線移動を行うことが可能な第一の副調整機構を複数設けてあることを特徴とする。
【００１２】
第２発明では、複数の表示パネルの横方向接続部分に、表示画面を見る者から見て横方向の直線移動を行うことが可能な第一の副調整機構を複数設けることにより、主調整機構だけでは調整することができない表示画面を見る者から見て横方向のズレをより細かく微調整することができ、精緻な画像を提供することが可能となる。
【００１３】
また、第３発明に係る表示装置用支持機構は、第１又は第２発明において、表示画面を見る者から見て縦方向での複数の前記表示パネルの接続部分に、表示画面を見る者から見て縦方向及び前後方向の直線移動を行うことが可能な第二の副調整機構を設けてあることを特徴とする。
【００１４】
第３発明では、複数の表示パネルの表示画面を見る者から見て縦方向接続部分に、表示画面を見る者から見て縦方向及び前後方向の直線移動を行うことが可能な第二の副調整機構を設けることにより、主調整機構だけでは調整することができない表示画面を見る者から見て縦方向のズレ及び前後方向のズレをより細かく微調整することができ、精緻な画像を提供することが可能となる。
【００１５】
また、第４発明に係る表示装置用支持機構は、第１乃至第３発明のいずれか１つにおいて、前記主調整機構は、クランク機構により調整部材の直線運動を回転運動に変換するようにしてあることを特徴とする。
【００１６】
第４発明では、前記主調整機構が、クランク機構により調整部材の直線運動を回転運動に変換することにより、調整部材を直線的に移動させることで固着されている表示パネルの前後方向（略奥行き方向）の軸及び縦方向の軸を中心とする回転移動をさせることができるので、例えばボールネジ等の直線移動により回転方向の調整を行うことができ、しかも微妙な回転角度の調整も可能となる。
【００１７】
また、第５発明に係る表示装置は、第１乃至第４発明のいずれか１つの表示装置用支持機構にて、複数の表示パネルを縦横に連結してあることを特徴とする。
【００１８】
第５発明では、上述した表示装置用支持機構を用いて、複数の表示パネルを縦横に連結することにより、接続部分にて画質を損なうことがない高画質の大画面表示装置を提供することが可能となる。
【００１９】
また、第６発明に係る表示装置は、第５発明において、前記表示パネルは、内部に放電ガスが封入された複数の発光管を並列に配置した発光管アレイを、アドレス電極が形成してあるアドレス電極シートと、表示電極が形成してある表示電極シートとの間に挟持してあり、薄板状の構造体と一体化した発光管アレイ型表示サブモジュールであることを特徴とする。
【００２０】
第６発明では、内部に放電ガスが封入された複数の発光管を並列に配置した発光管アレイを、アドレス電極が形成してあるアドレス電極シートと、表示電極が形成してある表示電極シートとの間に挟持してあり、薄板状の構造体と一体化した発光管アレイ型表示サブモジュールを、上述したいずれかの表示装置用支持機構を用いて縦横に接続することで、接続部分にて画質を損なうことがない高画質の大画面表示装置を構成することが可能となる。
【発明の効果】
【００２１】
上記のように、表示パネル等を主調整機構に固着した状態で支持枠に固定することができ、支持枠に固定した状態で表示画面を見る者から見て前後方向、縦方向、及び横方向の直線移動による微調整を行うことができる。また、固着時に左右の高さが平行でない場合には表示画面を見る者から見て前後方向、すなわち略奥行き方向の軸を中心とする回転移動により微調整を行うことができ、曲面に対応する場合には表示画面を見る者から見て縦方向、すなわち略鉛直方向の軸を中心とする回転移動により微調整を行うことが可能となる。
【発明を実施するための最良の形態】
【００２２】
以下に、本発明の実施の形態に係る表示装置用支持機構について図面に基づいて詳細に説明する。本実施の形態では、表示画面を見る者から見て縦横に接続する表示パネルとして、複数の発光管を並列に配置した発光管アレイを、アドレス電極シート及び表示電極シートの間に挟持し、薄板状の構造体と一体化した発光管アレイ型表示サブモジュールを用いる。
【００２３】
図１は、本発明の実施の形態に係る発光管アレイ型表示サブモジュールの発光管アレイの構成を模式的に示す斜視図である。図１（ａ）は、発光管アレイ型表示サブモジュールの発光管アレイの構成を模式的に示す斜視図であり、図１（ｂ）は、発光管アレイ型表示サブモジュールの発光管アレイの構成を部分的に示す斜視図であり、図１（ｃ）は、発光管アレイ型表示サブモジュールを縦横に接続した状態を示す斜視図である。
【００２４】
図１（ａ）に示すように、本実施の形態に係る発光管アレイ型表示サブモジュールは、矩形画面の一部を構成する表示サブモジュールであることから、矩形形状を有しており、内部に放電ガスが封入された複数の発光管３１、３１、・・・を並列に配置している。発光管３１、３１、・・・はガラス製の放電細管であり、管体となる細管の径は、特に大きさが限定されるものではないが、直径０．５〜５ｍｍ程度であることが望ましい。細管の形状は、円形の断面、扁平楕円状の断面、方形の断面等、どのような形状の断面を有していてもよい。また、発光管３１、３１、・・・の内部にはネオン、キセノン等の放電ガスが所定の割合で所定の圧力で封入されている。
【００２５】
並列に配置された発光管３１、３１、・・・は、発光管３１、３１、・・・の長手方向に配設されているアドレス電極３２、３２、・・・を有するアドレス電極シート３３と、発光管３１、３１、・・・の長手方向に略直交する方向に配設されている表示電極対３４、３４、・・・を有する表示電極シート３５とに挟持されることで表示サブモジュールを構成している。表示電極シート３５はフレキシブルシートであり、例えばポリカーボネートフィルム、ＰＥＴ（ポリエチレンテレフタレート）フィルム等で構成されている。
【００２６】
複数の表示電極対３４、３４、・・・は、発光管アレイ型表示サブモジュールの表示面側に、発光管３１、３１、・・・の長手方向と直交する方向にストライプ状に設けられており、隣接する電極間で発光管３１、３１、・・・において表示放電を発生させることができるものであれば、特に限定されるものではない。表示電極３４は、当該分野で公知の各種の材料を用いて形成することができる。表示電極３４に用いられる材料としては、例えば、ＩＴＯ（酸化錫ドープ酸化インジウム）、ＳｎＯ2 等の透明な導電性材料や、Ａｇ、Ａｕ、Ａｌ、Ｃｕ、Ｃｒ等の金属の導電性材料が挙げられる。
【００２７】
表示電極３４の形成方法としては、当該分野で公知の各種の方法を適用することができる。例えば、印刷等の厚膜形成技術を用いて形成しても良いし、物理的堆積法又は化学的堆積法からなる薄膜形成技術を用いて形成しても良い。厚膜形成技術としては、スクリーン印刷法等が挙げられる。薄膜形成技術のうち、物理的堆積法としては、蒸着法、スパッタ法等が挙げられる。化学的堆積法としては、熱ＣＶＤ法、光ＣＶＤ法、あるいはプラズマＣＶＤ法等が挙げられる。
【００２８】
アドレス電極３２、３２、・・・は、発光管アレイ型表示サブモジュールの背面側に、発光管３１、３１、・・・の長手方向に沿って発光管３１ごとに設けられ、表示電極対３４、３４、・・・との交差部に発光セルを形成する発光セル選択用のものであれば、特に限定されるものではない。アドレス電極３２も、当該分野で公知の各種の材料と方法とを用いて形成することができる。
【００２９】
上記構成において、発光管アレイ型表示サブモジュールをカラー表示対応とする場合には、図１（ｂ）に示すように、発光管３１ごとに単色の蛍光体層３６、例えば赤色（Ｒ）用の蛍光体層３６Ｒ、緑色（Ｇ）用の蛍光体層３６Ｇ、青色（Ｂ）用の蛍光体層３６Ｂを有する。ＲＧＢ３色の発光管３１、３１、３１を一組として一つの画素を構成することで、カラー表示に対応することができる。なお、蛍光体層３６は、赤色（Ｒ）用の蛍光体層３６Ｒでは、紫外線照射により赤色発光する（Ｙ、Ｇｄ）ＢＯ3 ：Ｅｕ3+等の蛍光体材料を用いる。緑色（Ｇ）用の蛍光体層３６Ｇでは、緑色発光するＺｎ2 ＳｉＯ4 ：Ｍｎ等の蛍光体材料を用い、青色（Ｂ）用の蛍光体層３６Ｂでは、青色発光するＢａＭｇＡｌ12Ｏ17：Ｅｕ2+等の蛍光体材料を用いる。
【００３０】
図１（ｃ）は、上述した発光管アレイ型表示サブモジュール３０を表示画面を見る者から見て縦横に接続する様子を模式的に示す斜視図である。図１（ｃ）では、４枚の発光管アレイ型表示サブモジュール３０、３０、・・・から１枚の大画面の発光管アレイ型表示モジュール４０を構成しており、１枚１枚の発光管アレイ型表示サブモジュール３０は、駆動回路、電源回路等を含まない半完成品である。大画面用の発光管アレイ型表示モジュール４０を構成した段階で、全体を一つの表示フィルムとして駆動回路、電源回路等を組み込むことで、発光管アレイ型表示サブモジュール３０ごとに表示画像の品質のばらつきが少ない大画面表示装置を構成することができる。
【００３１】
なお、大画面を構成するための１枚の発光管アレイ型表示サブモジュール３０の位置を調整するには６つの自由度が存在する。図２は、発光管アレイ型表示サブモジュール３０の位置を調整する６自由度の説明図である。
【００３２】
図２（ａ）は、直線移動の３自由度を示しており、表示画面を見る者から見て垂直方向の直線移動Ｖ（＝Ｖｅｒｔｉｃａｌ）、表示画面を見る者から見て水平方向の直線移動Ｈ（＝Ｈｏｒｉｚｏｎｔａｌ）、及び表示画面を見る者から見て奥行き方向の直線移動Ｄ（＝Ｄｅｐｔｈ）がある。図２（ｂ）は、回転移動の３自由度を示しており、表示画面を見る者から見て垂直方向軸を中心とする回転移動Ｙ（＝Ｙａｗ）、表示画面を見る者から見て水平方向軸を中心とする回転移動Ｐ（＝Ｐｉｔｃｈ）、及び表示画面を見る者から見て奥行方向軸を中心とする回転移動Ｒ（＝Ｒｏｌｌ）がある。
【００３３】
本発明は、このような大画面表示装置を構成するための発光管アレイ型表示サブモジュール３０、３０、・・・の支持機構に関する。図３は、本発明の実施の形態に係る表示装置用支持機構に、発光管アレイ型表示サブモジュール３０、３０、・・・を取り付けた一例を示す斜視図である。
【００３４】
実施の形態に係る表示装置用支持枠１は、鉛直方向の支柱である鉛直支持軸１１、１１と、表示画面を見る者から見て横方向を支持する水平支持軸１２、１２、・・・とで枠組みがなされている。以後、横方向とは表示画面を見る者から見て左右方向を意味する。枠組みの左右方向の両端には、実施の形態に係る表示装置用支持枠１を安定させる安定支持材１３、１３が装着され、発光管アレイ型表示サブモジュール３０、３０、・・・を取り付けた場合であっても安定して直立できるようにしてある。
【００３５】
発光管アレイ型表示サブモジュール３０、３０、・・・を取り付けるべき位置には、２本一組の水平方向の部材である主調整機構支持材１４、１４、・・・が配設されている。主調整機構支持材１４、１４、・・・には、主調整機構１５、１５、・・・が設置されており、主調整機構支持材１４、１４、・・・は発光管アレイ型表示サブモジュール３０、３０、・・・の背面略中央に固着されている。
【００３６】
また、左右方向の連結部分には、左右方向にのみネジ等により位置を調整することが可能な副調整機構（第一の副調整機構）１６が、発光管アレイ型表示サブモジュール３０ごとに左右各４個ずつ設けてある。副調整機構１６、１６、・・・を用いることにより、薄板状で連結されている発光管アレイ型表示サブモジュール３０、３０、・・・の左右方向の位置合わせを精緻に行うことができる。
【００３７】
さらに、表示画面を見る者から見て縦方向の連結部分には、表示画面を見る者から見て縦方向及び前後方向にボールネジ等により位置を調整することが可能な副調整機構（第二の副調整機構）１７が、隣接する発光管アレイ型表示サブモジュール３０、３０ごとに１個ずつ設けてある。以後、縦方向とは表示画面を見る者から見て上下方向を意味する。副調整機構１７、１７、・・・を用いることにより、薄板状で連結されている発光管アレイ型表示サブモジュール３０、３０、・・・の上下方向及び前後方向の位置合わせを精緻に行うことができる。特に表示画面を見る者から見て前後方向の位置合わせは、薄板状の表示パネルを連結する場合には画質の確保の観点から重要であるが、従来の支持機構では調整機構を備えるものは存在しない。
【００３８】
図４は、連結されている発光管アレイ型表示サブモジュール３０の背面を示す拡大斜視図である。発光管アレイ型表示サブモジュール３０の背面略中央部分に主調整機構１５を取り付け、２本の主調整機構支持材１４、１４により主調整機構１５の中央部を操作することが可能な状態で配設してある。主調整機構１５により、発光管アレイ型表示サブモジュール３０の表示画面を見る者から見て前後方向の位置、上下方向の位置、及び左右方向の位置を調整することができるが、温度・湿度等による微妙な形状変化、製造誤差等により、発光管アレイ型表示サブモジュール３０の周縁部では、隣接する発光管アレイ型表示サブモジュール３０との間で表示画面を見る者から見て前後方向の位置、上下方向の位置、及び左右方向の位置が微妙に相違する。
【００３９】
図５は、発光管アレイ型表示サブモジュール３０の位置ズレの具体例を示す模式図である。発光管アレイ型表示サブモジュール３０が、本来高さの基準線Ｐから高さＨに配置されるべき場合、発光管アレイ型表示サブモジュール３０ａのように配置されるべきところ、発光管アレイ型表示サブモジュール３０ｂのように左側の高さＨL と右側の高さＨR が相違している場合、隣接する発光管アレイ型表示サブモジュール３０ａ、３０ｂを正確に接続するためには、表示画面を見る者から見て前後方向の直線移動、上下方向の直線移動、及び左右方向の直線移動だけでは、接続部分を合わせることができない。
【００４０】
そこで、これらの微妙なずれを修正するために、まず主調整機構１５により、発光管アレイ型表示サブモジュール３０の表示面中央に略直交する表示画面を見る者から見て奥行き方向の軸を中心とした回転位置を調整するとともに、発光管アレイ型表示サブモジュール３０の表示面中央の表示画面を見る者から見て鉛直方向の軸を中心とした回転位置を調整する。これにより、各発光管アレイ型表示サブモジュール３０の縦横辺を表示画面を見る者から見て水平方向及び鉛直方向に揃えることができるので、残りの微調整は、発光管アレイ型表示サブモジュール３０の表示画面を見る者から見て前後方向、上下方向、及び左右方向の直線移動のみで足りる。
【００４１】
図６は、発光管アレイ型表示サブモジュール３０の位置ズレ調整の具体例を示す模式図である。図６（ａ）に示す発光管アレイ型表示サブモジュール３０”が、図５に示す発光管アレイ型表示サブモジュール３０ｂに相当する。
【００４２】
まず、図６（ａ）に示すように、発光管アレイ型表示サブモジュール３０”を表示画面を見る者から見て奥行方向軸を中心とする回転移動Ｒにより、発光管アレイ型表示サブモジュール３０’まで回転させ、図５の基準線Ｐと発光管アレイ型表示サブモジュール３０’の下辺が平行になるよう調整する。そして、図６（ｂ）に示すように、発光管アレイ型表示サブモジュール３０’を表示画面を見る者から見て上下方向に直線移動して、図５に示す隣接する発光管アレイ型表示サブモジュール３０ａと下辺の高さを一致させた発光管アレイ型表示サブモジュール３０まで移動させることにより、隣接する発光管アレイ型表示サブモジュール３０、３０の接続部分を合わせることができる。
【００４３】
図７は、発光管アレイ型表示サブモジュール３０の前後方向の位置ズレ調整の具体例を示す模式図である。図７（ａ）に示すように、発光管アレイ型表示サブモジュール３０を表示画面を見る者から見て上下方向に配設する場合、表示画面を上下で一致させようとするとき、表示画面を見る者から見て上下方向に隣接する発光管アレイ型表示サブモジュール３０、３０が衝突しないよう、わずかであっても隙間Ｗが必要となる。この隙間Ｗが無発光領域となって、黒線表示の原因となる。
【００４４】
そこで、図７（ｂ）に示すように、発光管アレイ型表示サブモジュール３０の一方、例えば上側の発光管アレイ型表示サブモジュール３０を表示画面を見る者から見て前方向に移動させ、その後表示画面を見る者から見て下方向へ移動させる。このようにすることで、表示画面を見る者から見て上下方向に隣接する発光管アレイ型表示サブモジュール３０、３０には、表示画面を見る者から見て上下方向の隙間Ｗが存在しないように見え（Ｗ＝０）、しかも表示画面を見る者から見て上下方向に隣接する発光管アレイ型表示サブモジュール３０、３０が衝突しない。したがって、黒線表示の原因となる隙間Ｗが存在せず、高画質を維持することができる。なお、表示画面を見る者から見て前後方向には所定の隙間Ｙが生じるが、表示画面を見る者からは奥行き方向であるため認識することが困難となる。
【００４５】
また、実施の形態に係る表示装置用支持枠１の取り付ける発光管アレイ型表示サブモジュール３０、３０が曲面型である場合、表示画面を連続した曲面とする必要がある。図８は、発光管アレイ型表示サブモジュール３０、３０が曲面型である場合の位置ズレの具体例を示す、上方から見た模式図である。図８に示すように、単に取り付けただけでは、隣接する発光管アレイ型表示サブモジュール３０ａ、３０ｂが連続した曲面を形成することがない。
【００４６】
そこで、回転移動と直線移動とを組み合わせることで、隣接する発光管アレイ型表示サブモジュール３０ａ、３０ｂが連続した曲面を形成するように調整する。図９は、発光管アレイ型表示サブモジュール３０、３０が曲面型である場合の位置ズレ調整の具体例を示す、上方から見た模式図である。
【００４７】
まず、図９（ａ）に示すように、発光管アレイ型表示サブモジュール３０ｂを、表示画面を見る者から見て垂直方向軸を中心とする回転移動Ｙにより、発光管アレイ型表示サブモジュール３０ｂ’まで回転させ、発光管アレイ型表示サブモジュール３０ａの右端部と、発光管アレイ型表示サブモジュール３０ｂの左端部との奥行き方向の位置が略一致するよう調整する。そして、図９（ｂ）に示すように、発光管アレイ型表示サブモジュール３０ｂ’を表示画面を見る者から見て左右方向に直線移動して、隣接する発光管アレイ型表示サブモジュール３０ａの右端部と接する位置である発光管アレイ型表示サブモジュール３０ｂ”まで移動させることにより、隣接する発光管アレイ型表示サブモジュール３０、３０の接続部分を合わせることができる。
【００４８】
次に副調整機構１６、１６、・・・により、隣接する発光管アレイ型表示サブモジュール３０との表示画面を見る者から見て左右方向の位置合わせの微調整を、副調整機構１７、１７により、隣接する発光管アレイ型表示サブモジュール３０の表示画面を見る者から見て上下方向及び前後方向の位置合わせの微調整を、それぞれネジ機構等を用いて行うことができる。これにより複数の発光管アレイ型表示サブモジュール３０、３０、・・・を連結させた場合であっても、一枚の表示パネルと同様の画質で画像を表示することが可能となる。
【００４９】
図１０は、本発明の実施の形態に係る主調整機構１５の構成を示す背面図、断面図、正面図、及び平面図である。図１０（ａ）は、本発明の実施の形態に係る主調整機構１５の構成を示す背面図であり、図１０（ｂ）は、本発明の実施の形態に係る主調整機構１５の構成を示す図１０（ａ）のＡ−Ａ断面図である。また、図１０（ｃ）は、本発明の実施の形態に係る主調整機構１５の構成を示す正面図であり、図１０（ｄ）は、本発明の実施の形態に係る主調整機構１５の構成を示す平面図である。
【００５０】
図１０（ａ）及び（ｃ）に示すように、主調整機構１５は、本実施の形態に係る表示装置用支持機構の主調整機構支持材１４、１４に固着される固着板１８と、発光管アレイ型表示サブモジュール３０に固着される表示パネル固着板１９とを備えている。図１０（ａ）に示すように、主調整機構１５の表示画面を見る者から見て上下方向の移動は、ボールネジ等の上下方向調整ネジ１５１を上下移動枠１５２に取り付けてあり、上下移動枠１５２には、固着板１８を貫通する２本の移動軸１５３、１５３が上下方向に摺動することが可能となるように取り付けてある。上下方向調整ネジ１５１を回転させることで、上下移動枠１５２が移動し、主調整機構支持材１４、１４と発光管アレイ型表示サブモジュール３０との表示画面を見る者から見て上下方向の相対位置を精緻に変動させることができる。
【００５１】
また、主調整機構１５の表示画面を見る者から見て左右方向の移動は、ボールネジ等の左右方向調整ネジ１５４を左右移動枠１５５に取り付けてあり、左右移動枠１５５には、固着板１８を貫通する２本の移動軸１５６、１５６が表示画面を見る者から見て左右方向に摺動することが可能となるように取り付けてある。左右方向調整ネジ１５４を回転させることで、左右移動枠１５５が移動し、主調整機構支持材１４、１４と発光管アレイ型表示サブモジュール３０との表示画面を見る者から見て左右方向の相対位置を精緻に変動させることができる。
【００５２】
さらに、図１０（ｂ）に示すように、主調整機構１５の前後方向の移動は、ボールネジ等の前後方向調整ネジ１５７、１５７を固着板１８に取り付けてあり、固着板１８には、表示パネル固着板１９と連結する摺動軸１５８、１５８を取り付けてある。前後方向調整ネジ１５７、１５７を回転させることで、前後方向調整ネジ１５７、１５７の位置が表示画面を見る者から見て前後方向に移動し、前後方向調整ネジ１５７、１５７に固着されている固着板１８が摺動軸１５８、１５８に沿って移動し、主調整機構支持材１４、１４と発光管アレイ型表示サブモジュール３０との表示画面を見る者から見て前後方向の相対位置を精緻に変動させることができる。
【００５３】
回転移動による位置合わせには、クランク機構を用いている。図１０（ｃ）に示すように、主調整機構１５の重心を通る前後方向の中心軸回りの回転は、ボールネジ等の回転調整ネジ１５９により、クランク支持体１６０を支持軸１６１に沿って摺動させる。クランク支持体１６０が摺動することにより、クランク支持体１６０に連結されているクランク１６２が表示パネル固着板１９を回転させる。したがって、回転調整ネジ１５９を回転させることにより表示パネル固着板１９に固着されている発光管アレイ型表示サブモジュール３０を表示画面を見る者から見て略鉛直な面上で奥行き方向軸を中心に回転させることができる。
【００５４】
また、図１０（ｄ）に示すように、主調整機構１５の重心を通る表示画面を見る者から見て鉛直方向の中心軸回りの回転、いわゆる首振り回転は、ボールネジ等の首振り回転調整ネジ１６３により、クランク支持体１６４を支持軸１６５に沿って摺動させる。クランク支持体１６４が摺動することにより、クランク支持体１６４に連結されているクランク１６６が表示パネル固着板１９を首振り回転させる。したがって、首振り回転調整ネジ１６３を回転させることにより表示パネル固着板１９に固着されている発光管アレイ型表示サブモジュール３０を首振り回転させることができる。
【００５５】
図１１は、本発明の実施の形態に係る副調整機構１６の構成を示す拡大斜視図である。副調整機構１６は、図３に示す鉛直支持軸１１を挟んで発光管アレイ型表示サブモジュール３０、３０の表示画面を見る者から見て左右方向の位置合わせを精緻に行うために設けてある。図１２は、本発明の実施の形態に係る副調整機構１６の構成を模式的に示す、表示画面を見る者から見て鉛直面での断面図である。
【００５６】
図１２に示すように、副調整機構１６は、本実施の形態に係る表示装置用支持機構の鉛直支持軸（図示せず）と連結する鉛直支持部材１７１を挟むように設けてあり、発光管アレイ型表示サブモジュール３０、３０のサブモジュールフレーム４１、４１に固着してある取付部材１６９、１６９にて、支柱部１７０、１７０が取り付けてある。支柱部１７０、１７０の先端部には、互いに対向する方向へ突出する左右調整ネジ１６７、１６７と、該左右調整ネジ１６７、１６７が螺合することが可能なネジ穴１６８、１６８を有する幅調整部（鉛直支持部材）１７１とが設けられている。
【００５７】
左右調整ネジ１６７、１６７をそれぞれ回転させることで、支柱部１７０、１７０は別個独立して表示画面を見る者から見て左右方向に移動することが可能であり、固着されている発光管アレイ型表示サブモジュール３０、３０の表示画面を見る者から見て左右方向の位置を精緻に調整することが可能となる。
【００５８】
図１３は、本発明の実施の形態に係る副調整機構１７の構成を示す拡大斜視図である。副調整機構１７は、隣接する発光管アレイ型表示サブモジュール３０、３０の表示画面を見る者から見て上下方向の位置合わせ及び前後方向の位置合わせを精緻に行うために設けてある。図１４は、本発明の実施の形態に係る副調整機構１７の構成を模式的に示す、発光管アレイ型表示サブモジュール３０、３０に直交する面での断面図である。
【００５９】
図１４に示すように、副調整機構１７は、隣接する発光管アレイ型表示サブモジュール３０、３０の表示画面を見る者から見て上下方向の所定の位置に設けてあり、下方の発光管アレイ型表示サブモジュール３０のサブモジュールフレーム４１に固着してある下部取付部材１７８に、ボールネジ等の上下調整ネジ１７２が組み込んである。上下調整ネジ１７２は、螺合することが可能なネジ穴１７３を有する上下幅調整部１７４に嵌挿してあり、上下幅調整部１７４にも、ボールネジ等の前後調整ネジ１７５が組み込んである。
【００６０】
前後調整ネジ１７５は、螺合することが可能なネジ穴１７６を有する前後幅調整部１７７に嵌挿してあり、前後幅調整部１７７は、上方の発光管アレイ型表示サブモジュール３０のサブモジュールフレーム４１に固着してある。
【００６１】
斯かる構成とすることで、上下調整ネジ１７２を回転させた場合には、隣接する発光管アレイ型表示サブモジュール３０、３０の上下方向の微妙な位置合わせを容易にしかも正確に行うことができ、前後調整ネジ１７５を回転させた場合には、隣接する発光管アレイ型表示サブモジュール３０、３０の表示画面を見る者から見て前後方向の微妙な位置合わせを容易にしかも正確に行うことができる。
【００６２】
以上のように本実施の形態によれば、発光管アレイ型表示サブモジュール３０、３０、・・・等の表示パネルを主調整機構１５に固着した状態で支持枠に固定することができ、支持枠に固定した状態で表示画面を見る者から見て前後方向、上下方向、及び左右方向の直線移動による微調整を行うことができる。また、固着時に表示画面を見る者から見て左右の高さが平行でない場合には略奥行き方向の軸を中心とする回転移動により微調整を行うことができ、曲面に対応する場合には表示画面を見る者から見て略鉛直方向の軸を中心とする回転移動により微調整を行うことが可能となる。さらに、薄板状の表示パネルを表示画面を見る者から見て縦横に連結することにより生じやすい微妙なずれについても、副調整機構１６、１７を用いることで微調整することが可能であり、画質の劣化しない大画面表示装置を容易に構成することが可能となる。
【００６３】
なお、上述の実施の形態では、表示パネルとして、発光管アレイ型表示サブモジュール３０、３０、・・・等の表示フィルムにフレームを一体化したものを採用した場合について説明しているが、特にこれに限定されるものではなく、複数の薄板状の表示パネルを縦横に連結して大画面用表示装置を構成する場合にも同様の効果が期待できることは言うまでもない。
【００６４】
その他、本発明は上記実施例に限定されるものではなく、本発明の趣旨の範囲内であれば多種の変更、改良等が可能である。これらの変更、改良等は当業者にとって自明であり、該変更、改良等を加えた形態も当然に本発明の技術的範囲に含まれる。
【図面の簡単な説明】
【００６５】
【図１】本発明の実施の形態に係る発光管アレイ型表示サブモジュールの発光管アレイの構成を模式的に示す斜視図である。
【図２】発光管アレイ型表示サブモジュールの位置を調整する６自由度の説明図である。
【図３】本発明の実施の形態に係る表示装置用支持機構に、発光管アレイ型表示サブモジュールを取り付けた一例を示す斜視図である。
【図４】連結されている発光管アレイ型表示サブモジュールの背面を示す拡大斜視図である。
【図５】発光管アレイ型表示サブモジュールの位置ズレの具体例を示す模式図である。
【図６】発光管アレイ型表示サブモジュールの位置ズレ調整の具体例を示す模式図である。
【図７】発光管アレイ型表示サブモジュールの前後方向の位置ズレ調整の具体例を示す模式図である。
【図８】発光管アレイ型表示サブモジュールが曲面型である場合の位置ズレの具体例を示す、上方から見た模式図である。
【図９】発光管アレイ型表示サブモジュールが曲面型である場合の位置ズレ調整の具体例を示す、上方から見た模式図である。
【図１０】本発明の実施の形態に係る主調整機構の構成を示す背面図、断面図、正面図、及び平面図である。
【図１１】本発明の実施の形態に係る副調整機構の構成を示す拡大斜視図である。
【図１２】本発明の実施の形態に係る副調整機構の構成を模式的に示す、表示画面を見る者から見て鉛直面での断面図である。
【図１３】本発明の実施の形態に係る副調整機構の構成を示す拡大斜視図である。
【図１４】本発明の実施の形態に係る副調整機構の構成を模式的に示す、発光管アレイ型表示サブモジュールに直交する面での断面図である。
【符号の説明】
【００６６】
１１  鉛直支持軸
１２  水平支持軸
１５  主調整機構
１６、１７  副調整機構
３０  発光管アレイ型表示サブモジュール
３１  発光管
３２  アドレス電極
３３  アドレス電極シート
３４  表示電極（対）
３５  表示電極シート
４１  サブモジュールフレーム
【図１】
2010002541.tif 000003
【図２】
2010002541.tif 000004
【図３】
2010002541.tif 000005
【図４】
2010002541.tif 000006
【図５】
2010002541.tif 000007
【図６】
2010002541.tif 000008
【図７】
2010002541.tif 000009
【図８】
2010002541.tif 000010
【図９】
2010002541.tif 000011
【図１０】
2010002541.tif 000012
【図１１】
2010002541.tif 000013
【図１２】
2010002541.tif 000014
【図１３】
2010002541.tif 000015
【図１４】
2010002541.tif 000016